【手続補正書】
【提出日】平成15年10月20日(2003.10.20)
【手続補正１】
【補正対象書類名】明細書
【補正対象項目名】特許請求の範囲
【補正方法】変更
【補正の内容】
【特許請求の範囲】
【請求項１】
入力信号のためのスペクトルエンベロープ符号化方法であって、前記入力信号が所定の周波数領域を含むバンド幅を有し、前記入力信号が入力信号のソース符号化されたバージョンによって表示され、前記ソース符号化されたバージョンが前記所定の周波数領域を含まないバンド幅を有し、前記所定の周波数領域内の入力信号のスペクトルエンベロープが粗いスペクトルエンベロープ表示および細かいスペクトルエンベロープ表示によって表示でき、前記細かいスペクトルエンベロープ表示が残留信号である、入力信号をスペクトルエンベロープ符号化するための方法において、
前記入力信号の統計分析を実行する工程（６０３）と、
前記統計分析の結果に基づき、可変時間分解能または可変周波数分解能で前記所定周波数領域内のスペクトルエンベロープをサンプリングすることにより、前記所定の周波数領域に対する粗いスペクトルエンベロープ表示に関するデータを発生する工程（６０４、６０５、６０６）を備え、時定数に対して選択された時間分解能または周波数分解能が前記時定数における前記入力信号の前記統計分析の結果に応じて決まるようになっており、
更に可変時間分解能または可変周波数分解能を記述する制御信号を発生する工程と、
前記ソース符号化されたバージョン、粗いスペクトルエンベロープ表示に関するデータおよび前記制御信号を多重化することによる符号化された入力信号を発生する工程（６０７）とを備え、前記符号化された入力信号が前記残留信号を含まない、入力信号のためのスペクトルエンベロープ符号化方法。
【請求項２】
前記所定周波数領域に対する粗いエンベロープ表示に関するデータを発生する工程（６０４、６０５、６０６）が前記粗いスペクトルエンベロープ表示に対して使用すべき時間／周波数分解グリッドを選択する工程を備え、前記グリッドを記述するために前記制御信号が発生される、請求項１記載の方法。
【請求項３】
前記粗いエンベロープ情報を発生する工程が、
前記入力信号の時間／周波数表示の要素を得る工程と、
前記入力信号の前記時間／周波数表示における要素をグループ分けする工程と、
どのグループに対するスケールファクターも計算する工程を備えた、請求項１または２記載の方法。
【請求項４】
前記要素を得る工程がフィルタバンクを使用する工程を含む、請求項３記載の方法。
【請求項５】
前記フィルタバンクが固定されたサイズである、請求項４記載の方法。
【請求項６】
前記所定の周波数領域に対する粗いスペクトルエンベロープ表示に関するデータを発生する工程が、線形予測器を使用する工程を含む、請求項１記載の方法。
【請求項７】
統計分析を実行する工程がトランジェント検出器を使用する工程を含む、請求項１記載の方法。
【請求項８】
前記粗いスペクトルエンベロープ表示に関するデータを発生する工程が、可変時間分解能または可変周波数分解能を得るために、トランジェント発生時に、より高い周波数分解能とより低い時間分解能とのデフォルト組み合わせから、より低い周波数分解能とより高い時間分解能との組み合わせに、瞬間的分解能を切り替える工程を含む、請求項１記載の方法。
【請求項９】
前記制御信号が一定の更新レートのグラニュール内の位置を記述するように、前記制御信号を発生する工程が前記制御信号を発生するようになっており、
前記統計分析を実行する工程が一定の更新レートを適用するようになっており、
前記粗いスペクトルエンベロープ表示に関するデータを発生する工程（６０４、６０５、６０６）が符号化器および復号化器に利用できるルールを使用することにより、現在の隣接するグラニュール内の前記入力信号におけるトランジェントの位置に基づき、瞬間的分解能を選択するようになっている、請求項１記載の方法。
【請求項１０】
前記制御信号を発生する工程がグラニュール当たり多くて１つの位置を信号化するように制御信号を発生するようになっている、請求項９記載の方法。
【請求項１１】
前記粗いスペクトルエンベロープ表示に関するデータを発生する工程（６０４、６０５、６０６）が可変長のグラニュールを使用するようになっている、請求項１記載の方法。
【請求項１２】
第１の種類が固定位置のグラニュール境界部および長さＬを有し、第２の種類が固定位置の開始境界部および可変位置停止境界部を有し、第３の種類が可変位置開始境界部および固定位置停止境界部を有し、第４種類が可変位置開始境界部および停止境界部を有し、前記固定位置が距離Ｌだけ分離された基準位置に一致し、前記可変位置が前記基準位置に対して［−ａ、ｂ］だけオフセットできるように、４種類のグラニュールを使用する、請求項１１記載の方法。
【請求項１３】
前記粗いスペクトルエンベロープ表示に関するデータを発生する工程（６０４、６０５、６０６）が時間方向および周波数方向の双方に前記スケールファクターを符号化する工程を更に含み、瞬間的に最も有益な方向が決定され、符号化工程において前記最も有益な方向が選択される、請求項３記載の方法。
【請求項１４】
前記粗いスペクトルエンベロープ表示に関するデータを発生する工程（６０４、６０５、６０６）が時間方向および周波数方向の双方に前記スケールファクターを符号化する工程を更に含み、符号化工程のために所定の数のビットに対する最小符号化誤りを発生する方向が選択される、請求項３記載の方法。
【請求項１５】
前記粗いスペクトルエンベロープ表示に関するデータを発生する工程（６０４、６０５、６０６）が時間方向および周波数方向の双方に前記スケールファクターを符号化する工程を更に含み、符号化工程のために所定の符号化誤りに対する最小数のビットを発生する方向が選択される、請求項３記載の方法。
【請求項１６】
前記符号化工程が、無損失符号化を使用する工程を含み、時間方向および周波数方向に対して別々のテーブルが使用され、符号化のための方向を選択するためにテーブルを使用した符号化の結果が使用される、請求項１３、１４または１５に記載の方法。
【請求項１７】
入力信号のためのスペクトルエンベロープ符号化装置であって、前記入力信号が所定の周波数領域を含むバンド幅を有し、前記入力信号が入力信号のソース符号化されたバージョンによって表示され、前記ソース符号化されたバージョンが前記所定の周波数領域を含まないバンド幅を有し、前記所定の周波数領域内の入力信号のスペクトルエンベロープが粗いスペクトルエンベロープ表示および細かいスペクトルエンベロープ表示によって表示でき、前記細かいスペクトルエンベロープ表示が残留信号である、入力信号をスペクトルエンベロープ符号化するための装置において、
前記入力信号の統計分析を実行する手段（６０３）と、
前記統計分析の結果に基づき、可変時間分解能または可変周波数分解能で前記所定周波数領域内のスペクトルエンベロープをサンプリングすることにより、前記所定の周波数領域に対する粗いスペクトルエンベロープ表示に関するデータを発生する手段（６０４、６０５、６０６）を備え、時定数に対して選択された時間分解能または周波数分解能が前記時定数における前記入力信号の前記統計分析の結果に応じて決まるようになっており、
更に可変時間分解能または可変周波数分解能を記述する制御信号を発生する手段と、
前記ソース符号化されたバージョン、粗いスペクトルエンベロープ表示に関するデータおよび前記制御信号を多重化することによる符号化された入力信号を発生する手段（６０７）とを備え、前記符号化された入力信号が前記残留信号を含まない、入力信号のためのスペクトルエンベロープ符号化装置。
【請求項１８】
符号化された信号をスペクトルエンベロープ復号化するための装置であって、前記符号化された信号が元の信号のソース符号化されたバージョンを含み、前記元の信号が所定の周波数領域を含むバンド幅を有し、前記ソース符号化されたバージョンが前記所定の周波数領域を含まないバンド幅、所定の周波数領域に対する粗いスペクトルエンベロープ表示に関するデータ、可変時間分解能または可変周波数分解能を有するスペクトルエンベロープを表示する前記粗いスペクトルエンベロープ表示に関するデータ、および前記可変時間分解能または可変周波数分解能を示す制御信号を有し、ソース復号化（７０２）の結果、前記ソース符号化された信号が前記元の信号の復号化されたバージョンを生じさせ、該元の信号の復号化されたバージョンが前記所定の周波数領域を含まないバンド幅を有する、符号化された信号をスペクトルエンベロープ復号化するための装置において、
前記ソース符号化されたバージョン、前記粗いスペクトルエンベロープ表示に関する前記データおよび前記制御信号を得るために前記符号化された信号を逆多重化するためのデマルチプレクサ（７０１）と、
前記所定の周波数領域に対するスペクトルバンドレプリケートされた信号を発生するための手段（７０４）と、
前記可変時間分解能または前記可変周波数分解能を決定するために前記制御信号を解読するための手段と、
前記粗いスペクトルエンベロープ情報に関する前記データおよび前記可変時間分解能または前記可変周波数分解能を使って前記スペクトルバンドレプリケートされた信号をエンベロープ調節するための手段（７０８、７０９）と、
前記所定の周波数領域を含むバンド幅を有する復号化された信号を得るように、前記エンベロープ調節された信号および前記元の信号の復号化されたバージョンを追加するための手段とを備えた、符号化された信号をスペクトルエンベロープ復号化するための装置。
【請求項１９】
符号化された信号をスペクトルエンベロープ復号化するための方法であって、前記符号化された信号が元の信号のソース符号化されたバージョンを含み、前記元の信号が所定の周波数領域を含むバンド幅を有し、前記ソース符号化されたバージョンが前記所定の周波数領域を含まないバンド幅、所定の周波数領域に対する粗いスペクトルエンベロープ表示に関するデータ、可変時間分解能または可変周波数分解能を有するスペクトルエンベロープを表示する前記粗いスペクトルエンベロープ表示に関するデータ、および前記可変時間分解能または可変周波数分解能を示す制御信号を有し、ソース復号化（７０２）の結果、前記ソース符号化された信号が前記元の信号の復号化されたバージョンを生じさせ、該元の信号の復号化されたバージョンが前記所定の周波数領域を含まないバンド幅を有する、符号化された信号をスペクトルエンベロープ復号化するための方法において、
前記ソース符号化されたバージョン、前記粗いスペクトルエンベロープ表示に関する前記データおよび前記制御信号を得るために前記符号化された信号を逆多重化するため工程（７０１）と、
前記所定の周波数領域に対するスペクトルバンドレプリケートされた信号を発生するための工程（７０４）と、
前記可変時間分解能または前記可変周波数分解能を決定するために前記制御信号を解読するための工程（７０３）と、
前記粗いスペクトルエンベロープ情報に関する前記データおよび前記可変時間分解能または前記可変周波数分解能を使って前記スペクトルバンドレプリケートされた信号をエンベロープ調節するための工程（７０８、７０９）と、
前記所定の周波数領域を含むバンド幅を有する復号化された信号を得るように、前記エンベロープ調節された信号および前記元の信号の復号化されたバージョンを追加するための工程とを備えた、符号化された信号をスペクトルエンベロープ復号化するための方法。